(57)【要約】【課題】建物内の熱を外部に排出することによって空調機の使用するエネルギーの低減を図る建物内排熱システムを提供することを目的とする。【解決手段】建物ＢＬに設けられる建物内排熱システム１０１は、建物ＢＬに設けられて建物ＢＬの外部に連通し、空気が建物ＢＬの外部に向かって流通可能な内気排気ダクト１４と、熱を発生し、発生した熱を内気排気ダクト１４の空気に伝達可能に建物ＢＬの内部に設けられる照明装置１６とを備える。【選択図】図１
2011220566.tif 000002
【特許請求の範囲】
【請求項１】
建物に設けられて前記建物の外部に連通し、空気が前記建物の外部に向かって流通可能な空気経路と、
熱を発生し、発生した熱を前記空気経路の空気に伝達可能に前記建物の内部に設けられる発熱機器と
を備える建物内排熱システム。
【請求項２】
熱を蓄熱可能な前記建物の蓄熱躯体と、
前記蓄熱躯体を通って設けられ、外気が流通可能な前記空気経路と
を備え、
前記発熱機器は、前記発熱機器の発生した熱を前記蓄熱躯体に伝達可能に設けられ、
前記空気経路を流通する外気は、前記蓄熱躯体と熱交換を行い、前記発熱機器から伝達されて前記蓄熱体が蓄熱した熱を吸熱する
請求項１に記載の建物内排熱システム。
【請求項３】
前記蓄熱躯体及び前記発熱機器を連結し、前記発熱機器の発生する熱を前記蓄熱躯体に伝達する熱伝達手段を備える
請求項２に記載の建物内排熱システム。
【請求項４】
前記発熱機器は、前記蓄熱躯体に直接取り付けられる
請求項２に記載の建物内排熱システム。
【請求項５】
前記蓄熱躯体は、前記発熱機器から伝達された熱を蓄熱する領域の表面に、前記領域の表面からの熱の出入りを防ぐ断熱層を有する
請求項２〜４のいずれか一項に記載の建物内排熱システム。
【請求項６】
前記空気経路を形成し、前記建物の内部の空気を前記建物の外部に排出するダクトを備え、
前記発熱機器は、前記発熱機器の発生した熱を前記ダクトの内部に伝達可能に設けられる
請求項１に記載の建物内排熱システム。
【請求項７】
前記ダクト及び前記発熱機器を連結し、前記発熱機器の発生する熱を前記ダクト内に伝達する熱伝達手段を備える
請求項６に記載の建物内排熱システム。
【請求項８】
前記発熱機器は、前記ダクトに直接取り付けられる
請求項６に記載の建物内排熱システム。
【発明の詳細な説明】
【技術分野】
【０００１】
この発明は、建物内排熱システムに係り、特に、照明等の発熱機器の熱を建物の外部に排出する建物内排熱システムに関する。
【背景技術】
【０００２】
建物内では、照明、ＯＡ機器等の発生する熱によって室温が上昇するため、外気温が低い場合でも室内を冷却する必要があり、ほぼ年間を通して空調機を使用した冷却が行われている。このような建物の空調機が使用するエネルギーの総量は年間を通じると多量なものになるので、建物内における空調機の冷却効率を向上させることによって、エネルギーの使用量を低減する空調方法が提案されている。
【０００３】
例えば、特許文献１には、オフィス空間全体を冷却する天井空調装置に加えて、ＯＡ機器の近傍を冷却する別の空調機を使用してオフィス空間を冷却する空調方法が記載されている。なお、この別の空調機は、ＯＡ機器の近傍に配置された発熱エリア吸引ダクトを介して、ＯＡ機器から発生する熱空気を吸引して冷却機に導き、冷却機よって冷却した熱空気をオフィス空間に戻すものである。そして、この空調方法では、ＯＡ機器の近傍の空調機を使用した冷却によって、ＯＡ機器の局所発熱による室温分布の偏りを解消している。これにより、天井空調装置は、その冷房の設定が、局所的に室温の高くなった場所に合わせた設定温度の低いものではなく、オフィス空間全体の室温に合わせた比較的設定温度の高いものでよいため、過度の冷房の必要性が低減される。
【先行技術文献】
【特許文献】
【０００４】
【特許文献１】特開平１１−２２３３５８号公報
【発明の概要】
【発明が解決しようとする課題】
【０００５】
しかしながら、特許文献１における空調方法は、オフィス空間内における室温の偏りを解消することによって天井空調装置のエネルギーの使用量を低減しているが、このために、別の空調機を使用して、ＯＡ機器近傍の局所的に室温の高い場所の熱空気を冷却している。よって、局所的な熱を除去するために、別の空調機によるさらなるエネルギーの消費が発生するので、オフィス空間の空調装置全体で使用されるエネルギーの低減量は少ないという問題がある。
【０００６】
この発明はこのような問題点を解決するためになされたものであり、建物内の熱を外部に排出することによって空調機の使用するエネルギーを低減する建物内排熱システムを提供することを目的とする。
【課題を解決するための手段】
【０００７】
上記の課題を解決するために、建物内排熱システムは、建物に設けられて建物の外部に連通し、空気が建物の外部に向かって流通可能な空気経路と、熱を発生し、発生した熱を空気経路の空気に伝達可能に建物の内部に設けられる発熱機器とを備える。
【０００８】
また、上記の建物内排熱システムは、熱を蓄熱可能な建物の蓄熱躯体と、蓄熱躯体を通って設けられ、外気が流通可能な空気経路とを備え、発熱機器は、発熱機器の発生した熱を蓄熱躯体に伝達可能に設けられ、空気経路を流通する外気は、蓄熱躯体と熱交換を行い、発熱機器から伝達されて蓄熱体が蓄熱した熱を吸熱してもよい。
また、上記の建物内排熱システムは、蓄熱躯体及び発熱機器を連結し、発熱機器の発生する熱を蓄熱躯体に伝達する熱伝達手段を備えてもよい。
発熱機器は、蓄熱躯体に直接取り付けられてもよい。
蓄熱躯体は、発熱機器から伝達された熱を蓄熱する領域の表面に、領域の表面からの熱の出入りを防ぐ断熱層を有してもよい。
【０００９】
また、上記の建物内排熱システムは、空気経路を形成し、建物の内部の空気を建物の外部に排出するダクトを備え、発熱機器は、発熱機器の発生した熱をダクトの内部に伝達可能に設けられてもよい。
また、上記の建物内排熱システムは、ダクト及び発熱機器を連結し、発熱機器の発生する熱をダクト内に伝達する熱伝達手段を備えてもよい。
発熱機器は、ダクトに直接取り付けられてもよい。
【発明の効果】
【００１０】
この発明に係る建物内排熱システムによれば、建物内の熱を外部に排出することによって空調機の使用するエネルギーの低減を図ることが可能になる。
【図面の簡単な説明】
【００１１】
【図１】この発明の実施の形態１に係る建物内排熱システム１０１及びその周辺の構成を示す断面側面図である。
【図２】図１の内気排気ダクトの配置を示す模式平面図である。
【図３】図１及び図２のＩＩＩ−ＩＩＩ線に沿った断面の一部を示す模式断面図である。
【図４】図３の照明装置の構成を示す模式断面図である
【図５】この発明の実施の形態２に係る建物内排熱システムにおける内気排気ダクトの配置を示す模式平面図である。
【図６】図５のＶＩ−ＶＩ線に沿った断面の一部を示す模式断面図である。
【図７】この発明の実施の形態３に係る建物内排熱システムの一部を示す模式断面側面図である。
【図８】この発明の実施の形態４に係る建物内排熱システムの断面の一部を示す模式断面図である。
【図９】図８の照明装置の構成を示す模式断面図である。
【図１０】この発明の実施の形態５に係る建物内排熱システム１０５及びその周辺の構成を示す断面側面図である。
【図１１】図１０のボイド穴の配置を示す模式平面図である。
【図１２】図１０及び図１１のＸＩＩ−ＸＩＩ線に沿った断面の一部を示す模式断面図である。
【図１３】この発明の実施の形態６に係る建物内排熱システムの断面の一部を示す模式断面図である。
【図１４】この発明の実施の形態７に係る建物内排熱システムの一部を示す模式断面側面図である。
【図１５】この発明の実施の形態８に係る建物内排熱システムの断面の一部を示す模式断面図である。
【図１６】図１５の照明装置の構成を示す模式断面図である
【図１７】図１６の照明装置の別の形態の構成を示す模式断面図である
【図１８】この発明の実施の形態９に係る建物内排熱システムの断面の一部を示す模式断面図である。
【図１９】この発明の実施の形態１０に係る建物内排熱システムの断面の一部を示す模式断面図である。
【発明を実施するための形態】
【００１２】
以下、この発明の実施の形態について添付図面に基づいて説明する。
実施の形態１．
図１〜４を用いて、この発明の実施の形態１に係る建物内排熱システム１０１及びその周辺の構成を説明する。なお、以下の実施形態において、オフィス等を含むビル状の建物に建物内排熱システムを設けた場合の例について説明する。
【００１３】
まず、図１を参照すると、建物内排熱システム１０１及びその周辺の構成を示す断面側面図が示されている。そして、図１には、建物ＢＬの複数あるフロアのうちの１つであり、且つ建物内排熱システム１０１が設けられた、フロアＦ１が示されている。
フロアＦ１は、その下方のフロアＦ２とコンクリート製の床スラブ２によって仕切られ、その上方のフロアＦ３とコンクリート製の上階床スラブ３によって仕切られて形成されている。なお、フロアＦ２及びＦ３も、フロアＦ１と同様の構成を有している。ここで、床スラブ２及び上階床スラブ３は、建物ＢＬの躯体を構成している。
フロアＦ１には、居室空間Ａ１と、空間Ｂ１とが形成され、空間Ｂ１にはエレベータ等の共用設備が設けられている。
【００１４】
また、床スラブ２及び上階床スラブ３は、紙面上で奥行き方向に延びる大梁４ｂと、紙面上で横方向に延びる図示しない大梁４ａ（図２参照）と、紙面上で奥行き方向に延びて大梁４ａ同士を連結する小梁５とによって支持されている。なお、床スラブ２はフロアＦ２の上階床スラブも形成し、上階床スラブ３はフロアＦ３の床スラブも形成している。
【００１５】
床スラブ２の上方には床部材６が設けられており、床部材６は、床スラブ２との間に床下空間７を形成している。そして、床部材６には、複数の床吹出口６ａが設けられている。
さらに、上階床スラブ３の下方には天井部材８が設けられており、天井部材８は、上階床スラブ３との間に天井空間９を形成している。そして、天井部材８には、複数の天井吸入口８ａが設けられている。
【００１６】
また、床下空間７は、空間Ｂ１に設けられた空調機（空気調和機）１２に空調空気送気ダクト１２ａを介して連通している。天井空間９は、第一内気吸入ダクト１２ｂを介して空調機１２に連通し、また、第一内気吸入ダクト１２ｂから分岐する第二内気吸入ダクト１２ｂａを介して、空間Ｂ１に設けられた外調機（外気処理空気調和機）１３に連通している。
また、外調機１３は、外気吸入ダクト１３ｃを介して建物ＢＬの外部に連通し、内気排気ダクト１４及び換気口１５を介して建物ＢＬの外部に連通している。さらに、外調機１３は、外気送気ダクト１３ａを介して空調機１２に連通している。なお、内気排気ダクト１４は、小梁５と天井部材８との間を通って紙面上で横方向に延びるようにして設けられ、建物ＢＬの外壁３０に設けられた換気口１５に接続している。また、内気排気ダクト１４には、内部の熱の天井空間９への放熱を防ぐために断熱性を有する材料を使用することが好ましい。ここで、内気排気ダクト１４は、空気経路を構成している。
【００１７】
そして、外調機１３は、天井吸入口８ａから吸入されて天井空間９及び第一内気吸入ダクト１２ｂを流通する居室空間Ａ１の室内空気の一部、すなわちレターン空気の一部を、第二内気吸入ダクト１２ｂａを介して吸入し、同時に、外気吸入ダクト１３ｃを介して建物ＢＬの外部の外気を吸入する。さらに、外調機１３は、外気の熱による空調機１２の負荷を低減するために、吸入した外気をレターン空気と熱交換させて冷却又は加熱処理し、この処理した外気を、外気送気ダクト１３ａを介して空調機１２に送る。また、外調機１３は、吸入したレターン空気を、内気排気ダクト１４に送り、排出空気として換気口１５から建物ＢＬの外部に排出する。
【００１８】
また、空調機１２は、第一内気吸入ダクト１２ｂを介して吸入したレターン空気と外調機１３から送られた外気とを一緒に冷却又は加熱処理し、この処理したレターン空気及び外気を、空調空気送気ダクト１２ａに送り、床下空間７を通過させて、床吹出口６ａから居室空間Ａ１に空調空気として吹き出させる。
よって、居室空間Ａ１からのレターン空気が、天井吸入口８ａから吸入されて、その一部が外調機１３によって建物ＢＬの外部に排出され、残りの多くのレターン空気は空調機１２によって冷却又は加熱されて居室空間Ａ１に戻される。さらに、建物ＢＬの外部に排出されたレターン空気に相当する量の外気が、外調機１３によって吸入されて空調機１２に送られ、空調機１２によって冷却又は加熱されて居室空間Ａ１に送られる。そして、本実施の形態１の居室空間Ａ１では、空調空気が床から吹き出され、レターン空気が天井から吸い出されて、室内空調が行われる。
【００１９】
また、図１及び図３を合わせて参照すると、天井部材８には、発熱機器である複数の照明装置１６が取り付けられている。照明装置１６のそれぞれには、棒状の熱伝達手段であるヒートパイプ１７が取り付けられており、ヒートパイプ１７の先端は、内気排気ダクト１４を貫通してその内部に延びている。そして、内気排気ダクト１４は、照明装置１６の位置に合わせて、例えば、図２に示すように配置されている。
【００２０】
ここで、図２を参照すると、内気排気ダクト１４の平面的な配置の一例が示されている。内気排気ダクト１４は、空間Ｂ１において外調機１３から大梁４ａ同士の間に延びる３つの集合ダクト１４ａと、居室空間Ａ１において集合ダクト１４ａから分岐して延びる複数の独立ダクト１４ｂ（本実施の形態１では４つ）と、複数の独立ダクト１４ｂが再び集結した集合ダクト１４ｃとによって構成されている。さらに、集合ダクト１４ｃは、換気口１５に接続している。そして、独立ダクト１４ｂが、照明装置１６（図１参照）の位置に合わせて配置されている。
【００２１】
さらに、図４を参照すると、照明装置１６の構成が示されている。図４では、照明装置１６として、ＬＥＤライトを使用している。
照明装置１６は、天井部材８に埋め込むようにして取り付けられている。照明装置１６は、ＬＥＤ発光素子部１６ａ１が下方を照射するようにして天井部材８に取り付けられた発光部１６ａと、発光部１６ａの上部に設けられて発光部１６ａへの電力の供給を制御する電源部１６ｂとを有している。
また、発光部１６ａにおいて、ＬＥＤ発光素子部１６ａ１が設けられている基盤部１６ａ２の上部には、上方に延びるヒートパイプ１７が連結されている。
【００２２】
ヒートパイプ１７は、円筒状の容器１７ａと、容器１７ａの内部に封入された作動液１７ｂとを有している。また、容器１７ａは、その両端に熱の出入りが可能な入熱部１７ｃ及び放熱部１７ｄを有している。そして、ヒートパイプ１７は、入熱部１７ｃと放熱部１７ｄとの間に温度差がある場合に、入熱部１７ｃと放熱部１７ｄとの間で熱伝達を行う。
【００２３】
また、ヒートパイプ１７は、入熱部１７ｃを発光部１６ａの基盤部１６ａ２及び電源部１６ｂと接触させるようにし、且つ、放熱部１７ｄを内気排気ダクト１４の内部に位置させるようにして、設けられている。
さらに、ヒートパイプ１７の放熱部１７ｄには、容器１７ａから外側に向かって突出する放熱板１７ｇが設けられている。放熱板１７ｇは、放熱部１７ｄにおける空気との接触面積を増加させて熱交換の効率を向上させる機能を有している。
【００２４】
また、照明装置１６では、点灯中、発光部１６ａの基盤部１６ａ２及び電源部１６ｂが発熱してその温度が高温になる。このため、ヒートパイプ１７では、入熱部１７ｃでの温度が放熱部１７ｄでの温度より高くなる。このとき、ヒートパイプ１７の入熱部１７ｃでは、作動液１７ｂが、基盤部１６ａ２及び電源部１６ｂで発生する熱と熱交換を行って蒸発し、蒸気となる。蒸気となった作動液１７ｂは、容器１７ａの内部を放熱部１７ｄに移動し、さらに、放熱部１７ｄでは、内気排気ダクト１４内の排出空気と熱交換を行い、排出空気に熱を放出して凝縮する。そして、凝縮した作動液１７ｂは、入熱部１７ｃに移動する。この作動液１７ｂの作用の繰り返しにより、入熱部１７ｃから放熱部１７ｄへの熱伝達が行われ、照明装置１６の発生する熱が、内気排気ダクト１４内の排出空気に伝達される。
【００２５】
ここで、内気排気ダクト１４、照明装置１６及びヒートパイプ１７は、建物内排熱システム１０１を構成している。
【００２６】
次に、この発明の実施の形態１に係る建物内排熱システム１０１及びその周辺の動作を説明する。
図１を参照すると、居室空間Ａ１では、照明装置１６の他に、熱を発生するＯＡ機器１８が多数配置されているため、内部での発熱量が多くなっている。このため、空調機１２は、一年を通じてほとんどの期間、居室空間Ａ１を冷却する冷房状態で運転される。このため、本実施の形態１、及び実施の形態２以降では、冷房時における建物内排熱システム及びその周辺の動作について説明する。
【００２７】
まず、外調機１３は、外気吸入ダクト１３ｃを介して建物ＢＬの外部の外気を吸入すると共に、天井空間９、第一内気吸入ダクト１２ｂを介して吸入された居室空間Ａ１からのレターン空気の一部を第二内気吸入ダクト１２ｂａを介して吸入する。さらに、外調機１３は、吸入した外気とレターン空気とを熱交換させ、外気を居室空間Ａ１の温度程度に冷却して空調機１２に送ると共に、レターン空気を排出空気として、内気排気ダクト１４を介して建物ＢＬの外部に排出する。
【００２８】
次に、空調機１２は、外調機１３から送られた外気及び第一内気吸入ダクト１２ｂを介して居室空間Ａ１から吸入したレターン空気を冷却し、冷却した空気を空調空気として、空調空気送気ダクト１２ａ及び床下空間７を介して居室空間Ａ１に戻す。
よって、空調機１２は、冷却した空調空気の導入を行って居室空間Ａ１を冷却し、外調機１３は、居室空間Ａ１からのレターン空気の排出及び居室空間Ａ１への外気の導入を行って、居室空間Ａ１を換気する。
【００２９】
また、図４を参照すると、照明装置１６が点灯されている場合、照明装置１６の発生する熱は、ヒートパイプ１７に入熱してその内部を伝達し、放熱部１７ｄにおいて内気排気ダクト１４内に放熱され、内気排気ダクト１４内を流通する排出空気に伝達される。これにより、照明装置１６が発生する熱は、内気排気ダクト１４内を流通する排出空気に伝達され、排出空気と共に建物ＢＬの外部に排出される。すなわち、照明装置１６の発生する熱は、ヒートパイプ１７及び内気排気ダクト１４を介して、建物ＢＬの外部に直接排出される。そして、内気排気ダクト１４が断熱性を有する材料により形成されている場合、内気排気ダクト１４内の熱が天井空間９内のレターン空気に伝達されないため、レターン空気の温度上昇が抑えられる。これにより、空調機１２が吸入する空気の温度上昇が抑えられ、空調機１２の冷房負荷の増大が抑制される。
よって、照明装置１６が発生する熱の排出は、建物ＢＬに元々備え付けられて稼動している外調機１３の排出空気の流れを利用して行われるため、熱の排出のために、機器等を別個に使用することによるエネルギーの消費を伴わない。
【００３０】
また、照明装置１６が発生する熱が居室空間Ａ１の外部に直接排出されることにより、居室空間Ａ１内における室温の偏り及び上昇が防がれる。さらに、照明装置１６が発生する熱を、空調機１２から吹き出された空調空気が冷却する必要がなくなる。よって、空調機１２に戻ってくるレターン空気の温度上昇が低減されるため空調機１２内で設定温度まで空気を冷却するのに要するエネルギーを削減することが可能になり、また、空調機１２の搬送空気量を減少させることが可能になる。これにより、空調機１２の使用するエネルギーが低減し、さらに、居室空間Ａ１内の人が、体感的に暑い又は寒いと感じることが少なくなる。
【００３１】
このように、この実施の形態１に係る建物内排熱システム１０１は、建物ＢＬに設けられて建物ＢＬの外部に連通し、空気が建物ＢＬの外部に向かって流通可能な内気排気ダクト１４と、熱を発生し、発生した熱を内気排気ダクト１４の空気に伝達可能に建物ＢＬの内部に設けられる照明装置１６とを備える。
これによって、建物ＢＬの内部において照明装置１６が発生した熱は、内気排気ダクト１４の空気に伝達され、内気排気ダクト１４の空気の流れにのって建物ＢＬの外部に排出される。よって、照明装置１６が建物ＢＬ内に放出する熱量が低減されるので、照明装置１６が発生する熱による建物ＢＬ内の温度上昇が抑制される。このため、空調機１２の使用するエネルギーを低減することが可能になる。
【００３２】
また、内気排気ダクト１４内に、外調機１３が建物ＢＬの外部に排出する室内空気を流通させることによって、元々、排出されるべき空気に照明装置１６の発生する熱を伝達させて、排出することができる。すなわち、内気排気ダクト１４内の空気を排出するために、新たなエネルギーを使用することなく既存の設備を使用することができ、また、新たな機器を使用する必要がない。さらに、空調機１２に戻ってくるレターン空気の温度上昇が低減されるため、空調機１２内で設定温度まで空気を冷却するのに要するエネルギーが削減される。これにより、建物ＢＬ全体で使用するエネルギーを低減することが可能になる。
【００３３】
また、建物内排熱システム１０１は、内気排気ダクト１４及び照明装置１６を連結し、照明装置１６の発生する熱を内気排気ダクト１４内に伝達するヒートパイプ１７を備えている。これにより、内気排気ダクト１４と照明装置１６とが離れて配置されていても、ヒートパイプ１７により照明装置１６が発生する熱を内気排気ダクト１４に伝達することが可能になる。よって、照明装置１６及び内気排気ダクト１４のレイアウトに自由度が生まれ、これらを経済的に配置することができる。
【００３４】
また、実施の形態１では、内気排気ダクト１４内に照明装置１６の発生する熱を放熱していたが、これに限定されるものでなく、居室空間Ａ１の室内空気を建物ＢＬの外部に直接排出するための単なる換気用のダクト内に、照明装置１６の発生する熱を放熱するようにしてもよい。
【００３５】
実施の形態２．
この発明の実施の形態２に係る建物内排熱システムは、実施の形態１の建物内排熱システム１０１において天井部材８及び天井空間９を設けずに、内気排気ダクト２１４を居室空間Ａ１内に露出させて設け、内気排気ダクト２１４に照明装置１６を直接取り付けたものである。
なお、以下の実施の形態において、前出した図における参照符号と同一の符号は、同一または同様な構成要素であるので、その詳細な説明は省略する。
【００３６】
図６を参照すると、内気排気ダクト２１４は、紙面上で横方向に延びる小梁５の周囲を囲むようにして上階床スラブ３に取り付けられている。なお、内気排気ダクト２１４には、内部の熱の居室空間Ａ１への放熱を防ぐために断熱性を有する材料を使用することが好ましい。
さらに、図５を参照すると、内気排気ダクト２１４は、外調機１３から大梁４ａ同士の間に延びる３つの梁型ダクト２１４ａ、２１４ｂ及び２１４ｃを有している。
【００３７】
例えば、梁型ダクト２１４ａは、空間Ｂ１から居室空間Ａ１に延び、さらに、居室空間Ａ１内においては、各小梁５を囲む小梁部２１４１ａ（図６の小梁部２１４１参照）と、小梁部２１４１ａ同士を連結し且つ大梁４ａと一体に設けられた連結部２１４２ａ（図６の連結部２１４２参照）とを有している。これにより、梁型ダクト２１４ａは、居室空間Ａ１では、連続する略Ｓ字状の形状を形成して延びている。そして、梁型ダクト２１４ａは、居室空間Ａ１の端部において、換気口１５に接続している。
また、梁型ダクト２１４ｂ及び２１４ｃも、梁型ダクト２１４ａと同様にして設けられている。
【００３８】
図６に戻り、内気排気ダクト２１４の小梁部２１４１には、照明装置１６が直接取り付けられている。このため、照明装置１６は、内気排気ダクト２１４内を流通する排出空気と直接接触して熱を伝達することが可能になっている。
よって、照明装置１６の発生する熱が、内気排気ダクト２１４内を流通する排出空気に直接伝達され、伝達された熱は排出空気と共に建物ＢＬの外部に排出される。すなわち、照明装置１６の発生する熱は、内気排気ダクト２１４を介して、建物ＢＬの外部に直接排出される。
【００３９】
また、上階床スラブ３の下面３ｂには、外調機１３（図５参照）が居室空間Ａ１からレターン空気を吸入するための図示しないダクトが、内気排気ダクト２１４と別個に設けられており、実施の形態１と同様に、外調機１３が居室空間Ａ１の上部からレターン空気を吸入し、空調機１２（図１参照）が床部材６の床吹出口６ａから空調空気を居室空間Ａ１に送る。
また、この発明の実施の形態２に係る建物内排熱システムのその他の構成及び動作は、実施の形態１と同様であるため、説明を省略する。
【００４０】
このように、実施の形態２における建物内排熱システムによれば、上記実施の形態１の建物内排熱システム１０１と同様な効果が得られる。
また、照明装置１６を内気排気ダクト２１４に直接取り付けることによって、ヒートパイプ１７が必要でなくなり、照明装置１６の設置に要する手間も低減する。よって、コストを低減することが可能になる。
【００４１】
また、実施の形態２では、内気排気ダクト２１４内に照明装置１６の発生する熱を放熱していたが、これに限定されるものでなく、居室空間Ａ１の室内空気を建物ＢＬの外部に直接排出するための単なる換気用のダクト内に、照明装置１６の発生する熱を放熱するようにしてもよい。
また、実施の形態２では、内気排気ダクト２１４は、大梁４及び小梁５に沿って形成した梁型ダクトの形態を有していたが、これに限定されるものでなく、大梁４及び小梁５から離れた位置で上階床スラブ３の下面３ｂに単独で取り付けられたダクトであってもよい。
【００４２】
実施の形態３．
この発明の実施の形態３に係る建物内排熱システム１０３は、実施の形態１の建物内排熱システム１０１において空間Ｂ１に設けられていた空調機１２を、居室空間Ａ１の天井部材８に設けるようにしたものである。
図７を参照すると、居室空間Ａ１の天井部材８に設けられた空調機３１２は、居室空間Ａ１の室内空気を吸入して冷却した後、この冷却した空気を空調空気として再び居室空間Ａ１に戻すものである。
【００４３】
また、空間Ｂ１の外調機１３は、内気吸入ダクト３１３ｂを介して床下空間７に連通し、天井空間９を通る外調空気送気ダクト３１３ａを介して居室空間Ａ１に連通している。さらに、外調機１３は、外気吸入ダクト１３ｃを介して建物ＢＬの外部に連通し、内気排気ダクト１４を介して建物ＢＬの外部に連通している。よって、外調機１３は、床部材６に形成された床下吸入口３６ａから床下空間７及び内気吸入ダクト３１３ｂを通って吸入した居室空間Ａ１のレターン空気と、外気吸入ダクト１３ｃを通って吸入した外気とを熱交換する。さらに、外調機１３は、熱交換により冷却した外気を、外調空気送気ダクト３１３ａを通過させて居室空間Ａ１に外調空気として吹き出す。また、外調機１３は、熱交換後のレターン空気を内気排気ダクト１４に送り、建物ＢＬの外部に排出する。
【００４４】
従って、本実施の形態３では、空調機３１２による居室空間Ａ１の冷房と、外調機１３による居室空間Ａ１の換気とが、別々に形成された系統で行われている。そして、実施の形態１と同様に、照明装置１６の発生する熱は、ヒートパイプ１７を介して外調機１３の内気排気ダクト１４の排出空気に伝達されて、排出空気と共に建物ＢＬの外部に排出される。
【００４５】
上述より、照明装置１６の発生する熱は、空調機３１２と別個に設けられた、居室空間Ａ１の換気系統を利用して建物ＢＬの外部に排出することができる。
また、この発明の実施の形態３に係る建物内排熱システム１０３のその他の構成及び動作は、実施の形態１と同様であるため、説明を省略する。
このように、実施の形態３における建物内排熱システム１０３によれば、上記実施の形態１の建物内排熱システム１０１と同様な効果が得られる。
【００４６】
実施の形態４．
この発明の実施の形態４に係る建物内排熱システムは、実施の形態１の建物内排熱システムにおけるＬＥＤライトを使用した照明装置１６の代わりに、蛍光灯を使用した照明装置４１６を内気排気ダクト４１４に直接取り付けたものである。
図８を参照すると、照明装置４１６は、その一部を、矩形状の断面形状を有する内気排気ダクト４１４の内部に埋め込むようにして、天井部材８に取り付けられている。
【００４７】
図９を参照すると、照明装置４１６は、矩形状の断面形状をもつ筐体４１６ｃを有しており、さらに、筐体４１６ｃ内の下部に、カバー４１６ａ２の内側に蛍光灯４１６ａ１が配置された発光部４１６ａを有し、筐体４１６ｃ内の上部に電源部４１６ｂを有している。そして、筐体４１６ｃは、天井部材８に取り付けられ、筐体４１６ｃの一部が内気排気ダクト４１４の内部に突出している。なお、筐体４１６ｃは、熱伝導性の高い金属材料等を使用して形成される。
【００４８】
さらに、筐体４１６ｃの内部において、電源部４１６ｂと発光部４１６ａとの間には、これらを上下に仕切る隔壁４１６ｄが形成されている。そして、筐体４１６ｃの内部では、筐体４１６ｃと隔壁４１６ｄとによって、電源部４１６ｂを内部に含む熱溜空間４１６ｅが形成される。なお、隔壁４１６ｄは、熱溜空間４１６ｅが内気排気ダクト４１４の内部に含まれるような位置に形成されるのが好ましい。
また、隔壁４１６ｄには穴４１６ｄ１が形成されている。これにより、発光部４１６ａで発生した熱は、上昇して穴４１６ｄ１を通過し、熱溜空間４１６ｅに溜まる。一方、熱溜空間４１６ｅに溜まった熱は、隔壁４１６ｄによって、熱溜空間４１６ｅの下方外側への拡散が抑えられている。
【００４９】
よって、照明装置４１６の発光部４１６ａが発生した熱は、熱溜空間４１６ｅに溜まり。そして、電源部４１６ｂが発生した熱は、一部の熱が、筐体４１６ｃを間に挟んで電源部４１６ｂと隣り合う内気排気ダクト４１４内部の排出空気に直接伝達され、その他の熱が、熱溜空間４１６ｅに溜まる。さらに、熱溜空間４１６ｅに溜まった熱は、筐体４１６ｃを間に挟んで熱溜空間４１６ｅの周囲を流通する内気排気ダクト４１４の排出空気に伝達される。そして、伝達された熱は、排出空気と共に建物ＢＬの外部に排出される。
また、この発明の実施の形態４に係る建物内排熱システムのその他の構成及び動作は、実施の形態１と同様であるため、説明を省略する。
【００５０】
このように、実施の形態４における建物内排熱システムによれば、上記実施の形態１の建物内排熱システム１０１と同様な効果が得られる。
また、実施の形態４では、照明装置４１６の電源部４１６ｂが内気排気ダクト４１４の内部に位置して、内気排気ダクト４１４の排出空気と直接熱交換することができるため、照明装置４１６から排出空気への熱の伝達効率を向上させることが可能になる。
【００５１】
また、実施の形態４では、照明装置４１６の発熱を熱溜空間４１６ｅに滞留させ、熱溜空間４１６ｅを内気排気ダクト４１４の内部に位置するようにしたため、熱溜空間４１６ｅに滞留する熱と内気排気ダクト４１４の排出空気との間の熱交換面積を増大させることができる。これにより、照明装置４１６から排出空気への熱の伝達効率を向上させることが可能になる。
また、実施の形態４では、照明装置４１６を内気排気ダクト４１４に直接取り付けることによって、ヒートパイプ１７が必要でなくなり、照明装置４１６の設置に要する手間も低減する。よって、コストを低減することが可能になる。
【００５２】
実施の形態５．
この発明の実施の形態５に係る建物内排熱システム１０５は、実施の形態１の建物内排熱システム１０１において床スラブ２及び上階床スラブ３をボイドスラブとし、このボイドスラブに照明装置１６の発生する熱を伝達させるようにしたものである。
【００５３】
まず、図１０〜１２を用いて、この発明の実施の形態５に係る建物内排熱システム１０５及びその周辺の構成を説明する。
図１０を参照すると、建物内排熱システム１０５及びその周辺の構成を示す断面側面図が示されている。
実施の形態１と同様にして、フロアＦ１は、その下方のフロアＦ２と床ボイドスラブ５２によって仕切られ、その上方のフロアＦ３と上階床ボイドスラブ５３によって仕切られている。
【００５４】
ここで、図１２を参照すると、上階床ボイドスラブ５３は、中空のコンクリートスラブであり、スラブの内部に複数のパイプ状のボイド管５３１を一方向に並べてスラブを製作することによって、スラブの中を通る複数のボイド穴５３２が形成されている。
例えば、上階床ボイドスラブ５３には、スラブの中を通る複数のボイド穴を形成することにより、Ｉ型状の断面形状を有する複数の梁を隣接させて並べた形態を形成して、スラブの構造的な断面性能を向上させている一般的なボイドスラブを使用してもよい。
なお、床ボイドスラブ５２も、上階床ボイドスラブ５３と同様の構造を有している。
また、コンクリートは、単位体積あたりの空気の比熱に対して、約１５００倍の単位体積あたりの比熱を有しており、比熱が大きいため、コンクリート製の上階床ボイドスラブ５３及び床ボイドスラブ５２は、熱を蓄熱する能力が高くなっている。そして、上階床ボイドスラブ５３及び床ボイドスラブ５２は、蓄熱躯体を構成し、ボイド穴５３２は、空気経路を構成している。
【００５５】
図１０及び図１２を合わせて参照すると、床ボイドスラブ５２の上面５２ａ及び上階床ボイドスラブ５３の上面５３ａには、その全体に断熱性を有する材料が取り付けられており、この断熱性を有する材料は第一断熱層５０１を形成している。例えば、第一断熱層５０１は、フエルト等を使用して形成される。
さらに、床ボイドスラブ５２の上方には、床ボイドスラブ５２と間隔をあけて床部材６が設けられている。
また、上階床ボイドスラブ５３の下方には、上階床ボイドスラブ５３と間隔をあけて天井部材８が設けられている。
【００５６】
また、外調機１３は、実施の形態１と同様に、第一内気吸入ダクト１２ｂから第二内気吸入ダクト１２ｂａを介して吸入した、居室空間Ａ１からのレターン空気と、外気吸入ダクト１３ｃを介して吸入した外気とを熱交換させ、それにより、外気を冷却して空調機１２に送るように構成されている。さらに、外調機１３には、建物ＢＬの外部に連通する内気排気ダクト１３ｄが設けられており、外調機１３は、吸入したレターン空気を、内気排気ダクト１３ｄを介して建物ＢＬの外部に排出空気として排出するように構成されている。なお、空調機１２は、実施の形態１と同様の構成を有している。
【００５７】
また、上階床ボイドスラブ５３のボイド穴５３２は、建物ＢＬの外壁３０に設けられた第一シャッタ機構５１５に連通している。さらに、ボイド穴５３２は、居室空間Ａ１における外壁３０と反対側の端部に設けられたボイドスラブ接続チャンバ５０３に連通している。なお、ボイドスラブ接続チャンバ５０３は、上階床ボイドスラブ５３の下部において、天井空間９に隣接して設けられている。
ボイドスラブ接続チャンバ５０３には、複数のボイド穴５３２と通気ダクト５３３とが連通している。通気ダクト５３３は、ボイドスラブ接続チャンバ５０３から空間Ｂ１を通って建物ＢＬの外部に向かって延び、空間Ｂ１の外壁３０に設けられた第二シャッタ機構５１６に接続されている。よって、第一シャッタ機構５１５及び第二シャッタ機構５１６を開放することによって、ボイド穴５３２への外気の導入・導出が可能になり、閉鎖することによって、ボイド穴５３２への外気の導入及び導出が遮断される。
【００５８】
ここで、図１１を参照すると、上階床ボイドスラブ５３のボイド穴５３２の平面的な配置の一例が示されている。
上階床ボイドスラブ５３において、複数のボイド穴５３２は、居室空間Ａ１では、大梁４ａと同じ方向に沿って形成されている。複数のボイド穴５３２は、居室空間Ａ１の端部の大梁４ｂに沿って形成されたボイドスラブ接続チャンバ５０３に連通している。また、ボイドスラブ接続チャンバ５０３は、空間Ｂ１に設けられた３つの通気ダクト５３３及び３つの第二シャッタ機構５１６を介して、建物ＢＬの外部に連通している。
また、複数のボイド穴５３２は、居室空間Ａ１において、ボイドスラブ接続チャンバ５０３と反対側の端部で、第一シャッタ機構５１５を介して建物ＢＬの外部に連通している。
【００５９】
図１０に戻ると、天井部材８には、複数の照明装置１６が取り付けられている。照明装置１６のそれぞれには、ヒートパイプ５１７が連結されており、ヒートパイプ５１７の上端部分が、上階床ボイドスラブ５３に取り付けられている。
【００６０】
図１２を参照すると、上階床ボイドスラブ５３の下面５３ｂには、略台形形状の断面を有する複数の第一溝部５３ｃ１及び第二溝部５３ｃ２が大梁４ａと同じ方向に沿って形成されている。
【００６１】
ヒートパイプ５１７は、入熱部５１７ｃを照明装置１６に連結させて上方に延び、放熱部５１７ｄを第一溝部５３ｃ１において上階床ボイドスラブ５３に接触させるようにして設けられている。なお、ヒートパイプ５１７は、実施の形態１のヒートパイプ１７の放熱部１７ｄのように、放熱板１７ｇを有してはいない。そして、ヒートパイプ５１７は、照明装置１６の発生する熱を上階床ボイドスラブ５３に直接伝達し、上階床ボイドスラブ５３は伝達された熱を蓄熱する。
さらに、上階床ボイドスラブ５３の下面５３ｂには、ヒートパイプ５１７の取付部位の周りに、断熱性を有する材料からなる第二断熱層５０２が形成されている。例えば、第二断熱層５０２は、フエルト等を使用して形成される。
【００６２】
ここで、コンクリート製の上階床ボイドスラブ５３は、比熱が大きく熱伝達率が低い。このため、例えば、照明装置１６を２４時間点灯した場合であっても、上階床ボイドスラブ５３が熱を蓄熱する領域、すなわち蓄熱により上階床ボイドスラブ５３の温度が上昇する領域は限定されたものとなり、その領域は、図面上に示す蓄熱領域Ｈ５となる。そして、第二断熱層５０２は、蓄熱領域Ｈ５の下部を少なくとも覆うようにして形成されている。これにより、天井空間９に吸入されたレターン空気が、蓄熱領域Ｈ５と接触して加熱されることがない。
【００６３】
また、ヒートパイプ５１７が取り付けられておらず且つ蓄熱領域Ｈ５の外側に位置する第二溝部５３ｃ２は、その下部を板状の蓋部材５３ｄによって覆われており、蓋部材５３ｄには、開口５３ｄ１が複数設けられている。さらに、第二溝部５３ｃ２は、その端部で第一内気吸入ダクト１２ｂ（図１０参照）に連通している。このため、天井空間９内のレターン空気は、空調機１２及び外調機１３（図１０参照）によって開口５３ｄ１から第二溝部５３ｃ２内に吸引され、第二溝部５３ｃ２を流通した後、空調機１２及び外調機１３に吸入される。
ここで、上階床ボイドスラブ５３、ボイド穴５３２、照明装置１６、並びにヒートパイプ５１７は、建物内排熱システム１０５を構成している。
また、この発明の実施の形態５に係る建物内排熱システム１０５のその他の構成は、実施の形態１と同様であるため、説明を省略する。
【００６４】
次に、図１０〜１２を用いて、この発明の実施の形態５に係る建物内排熱システム１０５及びその周辺の動作を説明する。
図１０を参照すると、空調機１２及び外調機１３の稼動中、空調機１２からの空調空気が、床下空間７を通過して床吹出口６ａから居室空間Ａ１に送られる。また、居室空間Ａ１内からのレターン空気は、天井吸入口８ａから天井空間９に吸入され、空調機１２及び外調機１３に吸入される。
【００６５】
図１２を参照すると、照明装置１６が点灯されている場合、照明装置１６の発生する熱は、入熱部５１７ｃにおいてヒートパイプ５１７に入熱してヒートパイプ５１７内を伝達し、放熱部５１７ｄにおいて上階床ボイドスラブ５３に伝達する。そして、上階床ボイドスラブ５３は、伝達された熱を蓄熱領域Ｈ５に蓄熱する。さらに、上階床ボイドスラブ５３は、蓄熱領域Ｈ５内に位置するボイド穴５３２ａにおいて、その内部の空気と熱交換を行うことによって、蓄熱領域Ｈ５の蓄熱をボイド穴５３２ａの内部の空気に放出する。
【００６６】
さらに、図１０及び図１２を合わせて参照すると、上階床ボイドスラブ５３は、ボイド穴５３２ａ及び５３２ｂ（ボイド穴５３２）に外気を流通させることによって、流通する外気と熱交換を行ってその蓄熱を外気に放熱し、放熱した熱を外気と共に建物ＢＬの外部に排出することができる。
特に、蓄熱領域Ｈ５では、上階床ボイドスラブ５３は、ボイド穴５３２ａに外気を流通させることによって、流通する外気と熱交換を行って、蓄熱領域Ｈ５の蓄熱を外気に放熱し、熱交換により温度上昇した外気は、そのまま建物ＢＬの外部に排出される。これにより、上階床ボイドスラブ５３の蓄熱領域Ｈ５の蓄熱が、建物ＢＬの外部に排出されて、照明装置１６の発生した熱が、建物ＢＬの外部に排出されることになる。
【００６７】
一方、蓄熱領域Ｈ５以外の領域では、ボイド穴５３２ｂ（ボイド穴５３２）に流通させる外気の温度によって、蓄熱領域Ｈ５以外の領域における上階床ボイドスラブ５３の温度を変化させることができる。すなわち、蓄熱領域Ｈ５以外の領域では、ボイド穴５３２ｂに天井空間９内の温度以下の外気を流通させることによって、上階床ボイドスラブ５３は、流通する外気と熱交換を行って、上階床ボイドスラブ５３のコンクリート躯体温度を低下させる。このとき、レターン空気が、コンクリート躯体温度を低下させた上階床ボイドスラブ５３に接触しつつ流通することで、居室空間Ａ１内での室内発熱によって温度上昇したレターン空気が冷却される。
そして、ボイド穴５３２ａ及び５３２ｂ（ボイド穴５３２）への外気の導入・遮断の制御は、第一シャッタ機構５１５及び第二シャッタ機構５１６を開閉することによって行われる。
【００６８】
第一シャッタ機構５１５及び第二シャッタ機構５１６が開放されると、外気は、自然通風が建物ＢＬの外部を流れることにより発生する第一シャッタ機構５１５及び第二シャッタ機構５１６間の圧力差によって、ボイド穴５３２ａ及び５３２ｂ（ボイド穴５３２）に導入されてこの内部を流通する。そして、第一シャッタ機構５１５及び第二シャッタ機構５１６が閉鎖されると、ボイド穴５３２ａ及び５３２ｂ（ボイド穴５３２）への外気の導入及び導出が遮断される。
さらに、第一シャッタ機構５１５及び第二シャッタ機構５１６の開度を調節することによって、ボイド穴５３２ａ及び５３２ｂ（ボイド穴５３２）を流通する外気の流量を制御し、上階床ボイドスラブ５３の温度を適正な温度域に調節することもできる。例えば、適正な温度域として、上階床ボイドスラブ５３の温度を、空調機１２の空調負荷を増加させない温度域、居室空間Ａ１内での室内発熱によって温度上昇したレターン空気を上階床ボイドスラブ５３が冷却することができる温度域、天井空間９内において上階床ボイドスラブ５３に有害な結露を発生させない温度域、又は、これらの温度域を組み合わせて得られる温度域に調節することができる。
【００６９】
また、第一シャッタ機構５１５及び第二シャッタ機構５１６は、例えば、高温期では、夜間早朝（例えば２０時〜８時）に開放され、昼間（例えば８時〜２０時）は閉鎖される。すなわち、外気温の高い昼間には上階床ボイドスラブ５３への蓄熱のみを行って、外気温が低下する夜間に上階床ボイドスラブ５３の蓄熱を建物ＢＬの外部に排出する。これにより、上階床ボイドスラブ５３の温度を、居室空間Ａ１内で発生する室内発熱で温まったレターン空気の温度より下げることができ、空調機１２の冷房負荷が低減される。
【００７０】
よって、第一シャッタ機構５１５及び第二シャッタ機構５１６の開放は、蓄熱領域Ｈ５以外の領域での上階床ボイドスラブ５３の温度上昇を防ぐために、外気温が天井空間９内の空気の温度より低くなっている場合に行われる。さらに、第一シャッタ機構５１５及び第二シャッタ機構５１６の開放は、上階床ボイドスラブ５３に結露が発生することを防止するために、上階床ボイドスラブ５３の表面温度が天井空間９内の空気の露点温度より高くなっている場合に行うのが好ましい。
【００７１】
従って、建物内排熱システム１０５では、照明装置１６の発生する熱を上階床ボイドスラブ５３に吸熱させて一時的に蓄熱し、望ましい外気温条件の時に、ボイド穴５３２ａ及び５３２ｂ（ボイド穴５３２）に外気を流通させることによって、上階床ボイドスラブ５３の蓄熱を建物ＢＬの外部に排出することができる。
【００７２】
また、図１２を参照すると、天井空間９に吸入されたレターン空気は、開口５３ｄ１から第二溝部５３ｃ２内に吸入されて第二溝部５３ｃ２内を流通し、空調機１２及び外調機１３（図１０参照）に吸入される。
【００７３】
また、上階床ボイドスラブ５３は、ボイド穴５３２に外気を流通させることによって冷却され、蓄熱領域Ｈ５以外の部位では、室内発熱で温度が上昇したレターン空気よりその温度が低くなっている。
このため、第二溝部５３ｃ２を流通するレターン空気は、第二溝部５３ｃ２内で上階床ボイドスラブ５３と熱交換を行って上階床ボイドスラブ５３に吸熱され、その温度を低下させる。そして、レターン空気に第二溝部５３ｃ２を流通させることによって、上階床ボイドスラブ５３との接触面積が増大しているため、レターン空気と上階床ボイドスラブ５３との間で効率の高い熱交換が行われる。
【００７４】
また、開口５３ｄ１から第二溝部５３ｃ２内に吸入される前のレターン空気は、天井空間９を通過するが、第二断熱層５０２の遮熱作用によって、蓄熱領域Ｈ５によって温められることはない。これにより、レターン空気を吸入する空調機１２における冷房負荷の増大が防がれる。
よって、レターン空気が、第二溝部５３ｃ２で上階床ボイドスラブ５３に吸熱されてその温度を低下させて空調機１２及び外調機１３に吸入されることにより、空調機１２における冷房負荷が低減する。
【００７５】
また、上階床ボイドスラブ５３の上面５３ａには第一断熱層５０１が形成されているため、フロアＦ３（図１０参照）の床下空間７を通って居室空間Ａ３に送られる空調空気は、上階床ボイドスラブ５３の熱による影響を受けない。同様に、フロアＦ１（図１０参照）の床下空間７を通って居室空間Ａ１に送られる空調空気は、フロアＦ２（図１０参照）の照明装置１６の発生する熱を蓄熱した床ボイドスラブ５２（図１０参照）の熱による影響を受けない。
また、この発明の実施の形態５に係る建物内排熱システム１０５のその他の動作は、実施の形態１と同様であるため、説明を省略する。
【００７６】
このように、実施の形態５における建物内排熱システム１０５によれば、上記実施の形態１の建物内排熱システム１０１と同様な効果が得られる。
【００７７】
また、建物内排熱システム１０５は、熱を蓄熱可能な建物ＢＬの上階床ボイドスラブ５３と、上階床ボイドスラブ５３を通って設けられ、外気が流通可能なボイド穴５３２とを備え、照明装置１６は、照明装置１６の発生した熱を上階床ボイドスラブ５３に伝達可能に設けられ、ボイド穴５３２を流通する外気は、上階床ボイドスラブ５３と熱交換を行い、照明装置１６から伝達されて上階床ボイドスラブ５３が蓄熱した熱を吸熱する。
【００７８】
これによって、照明装置１６が発生した熱は、上階床ボイドスラブ５３に伝達されて蓄熱され、上階床ボイドスラブ５３は、ボイド穴５３２に外気が流通することによって、蓄熱を外気に伝達して外気と共に建物ＢＬの外部に排出し、冷却される。このため、外気温が高い場合は、上階床ボイドスラブ５３による蓄熱のみを行い、外気温が上階床ボイドスラブ５３の冷却に適した温度に低下した場合にのみ、上階床ボイドスラブ５３に外気を流通させて冷却することができる。すなわち、上階床ボイドスラブ５３の熱容量をバッファとして使用することができるので、外気温の変動に合わせて、上階床ボイドスラブ５３の蓄熱を排出することが可能になる。
【００７９】
特に、上階床ボイドスラブ５３をコンクリート製とすると、コンクリートの単位体積あたりの比熱が、空気の単位体積あたりの比熱の約１５００倍であるため、建物ＢＬ内の照明装置１６の照明発熱を上階床ボイドスラブ５３に蓄熱した場合、その温度上昇は非常に少なくなる。その結果として、本実施の形態５のように、空調機１２及び外調機１３へ戻ってくる居室空間Ａ１での室内発熱による負荷を大幅に削減することができる。また、このコンクリートに蓄熱した熱は、第一シャッタ機構５１５及び第二シャッタ機構５１６を開放すると、自然通風により建物ＢＬ内を通る外気の流れによって、建物ＢＬの外部に捨てられるため、さらなる別のエネルギーを使用することなく、コンクリートに蓄熱した熱を建物ＢＬの外部に捨てることを可能としている。
【００８０】
建物内排熱システム１０５は、上階床ボイドスラブ５３及び照明装置１６を連結し、照明装置１６の発生する熱を上階床ボイドスラブ５３に伝達するヒートパイプ５１７を備えている。これにより、上階床ボイドスラブ５３と照明装置１６とが離れて配置されていても、ヒートパイプ５１７により、照明装置１６が発生する熱を上階床ボイドスラブ５３に伝達することが可能になる。よって、照明装置１６のレイアウトに自由度が生まれ、照明装置１６を経済的に配置することができる。
【００８１】
また、上階床ボイドスラブ５３は、照明装置１６から伝達された熱を蓄熱する蓄熱領域Ｈ５の下面５３ｂに、蓄熱領域Ｈ５の表面からの熱の出入りを防ぐ第二断熱層５０２を有している。これにより、蓄熱領域Ｈ５の熱が、居室空間Ａ１の天井空間９、すなわち居室空間Ａ１に放出されることを抑制することが可能になる。また、蓄熱領域Ｈ５の上面５３ａに、第一断熱層５０１を有することにより、蓄熱領域Ｈ５の熱が、居室空間Ａ３の床下空間７、すなわち居室空間Ａ３に放出されることを抑制することが可能になる。
【００８２】
また、実施の形態５において、上階床ボイドスラブ５３は、その下面５３ｂに第一溝部５３ｃ１及び第二溝部５３ｃ２を有していたが、これに限定されるものではなく、平坦になっていてもよい。
また、上階床ボイドスラブ５３の第二溝部５３ｃ２の表面に鉄板等の熱伝導性の高い部材を設けてもよい。これにより、上階床ボイドスラブ５３と、第二溝部５３ｃ２内を流れるレターン空気との間における熱伝達効率が向上し、レターン空気の冷却効率を向上させることができる。
【００８３】
実施の形態６．
この発明の実施の形態６に係る建物内排熱システムは、実施の形態５の建物内排熱システム１０５において、空調機１２からの空調空気を、天井空間９を通って天井部材８から居室空間Ａ１に吹き出させ、居室空間Ａ１からのレターン空気を床吸入口６６ａから床下空間７に吸入して空調機１２及び外調機１３に吸入させるようにしたものである。
【００８４】
図１３を参照すると、実施の形態５と同様にして、上階床ボイドスラブ６３、天井部材８、床部材６、照明装置１６、及びヒートパイプ５１７が設けられている。
また、上階床ボイドスラブ６３は、その下面６３ｂが溝部を有さずに平坦になっている。さらに、上階床ボイドスラブ６３は、その上面６３ａに、蓄熱領域Ｈ６の上部を少なくとも覆うようにして第一断熱層６０１を有し、下面６３ｂに、蓄熱領域Ｈ６の下部を少なくとも覆うようにして第二断熱層６０２を有している。
なお、図示しない床ボイドスラブも、上階床ボイドスラブ６３と同様の構成を有している。
【００８５】
また、空調機１２（図１０参照）の空調空気送気ダクト６１２ａが、天井空間９内を通り、天井部材８において居室空間Ａ１に開口している。このため、空調機１２からの空調空気は、空調空気送気ダクト６１２ａを通り、空調空気送気ダクト６１２ａから直接、居室空間Ａ１に吹き出される。一方、居室空間Ａ１の室内空気は、レターン空気として、床部材６に形成された複数の床吸入口６６ａから床下空間７内に吸入され、床下空間７を通って空調機１２及び外調機１３（図１０参照）に吸入される。さらに、外調機１３は、吸入したレターン空気を建物ＢＬの外部に排出し、建物ＢＬの外部から吸入する外気を空調機１２に送る。よって、居室空間Ａ１では、空調空気が天井から吹き出され、室内空気が床から吸い出されて、室内空調が行われる。
【００８６】
また、上階床ボイドスラブ６３は、照明装置１６が点灯されている場合、照明装置１６の発生する熱を吸熱して蓄熱領域Ｈ６に蓄熱する。そして、上階床ボイドスラブ６３は、ボイド穴６３２ａ内の空気と熱交換を行うことによって、蓄熱領域Ｈ６の蓄熱をボイド穴６３２ａ内の空気に放出する。
【００８７】
さらに、居室空間Ａ３の床下空間７において、上階床ボイドスラブ６３は、その上面６３ａで、床下空間７を流通するレターン空気と熱交換を行う。しかしながら、上階床ボイドスラブ６３全体に占める蓄熱領域Ｈ６の割合は小さい。また、上面６３ａでは、第一断熱層６０１によって蓄熱領域Ｈ６からの熱の上方への放出が遮断されている。このため、居室空間Ａ３の床下空間７を流通するレターン空気は、上階床ボイドスラブ６３の上面６３ａでは、蓄熱領域Ｈ６の熱による影響を受けず、室内発熱により温度上昇したレターン空気よりも低温になっている蓄熱領域Ｈ６以外の領域において、上階床ボイドスラブ６３により冷却され、その温度を低下させる。同様に、居室空間Ａ１の床下空間７を通るレターン空気も、図示しない床ボイドスラブによって冷却され、その温度を低下させる。
【００８８】
また、天井空間９では、第二断熱層６０２によって蓄熱領域Ｈ６からの熱の下方への放出が遮断されているため、天井空間９を通る空調空気送気ダクト６１２ａ内の空調空気は、蓄熱領域Ｈ６の熱の影響を受けない。
また、この発明の実施の形態６に係る建物内排熱システムのその他の構成及び動作は、実施の形態５と同様であるため、説明を省略する。
【００８９】
このように、実施の形態６における建物内排熱システムによれば、上記実施の形態５の建物内排熱システム１０５と同様な効果が得られる。
また、実施の形態６における上階床ボイドスラブ６３は、その上面６３ａに、蓄熱領域Ｈ６の上部を少なくとも覆うようにして第一断熱層６０１を有している。このため、上階床ボイドスラブ６３の上面６３ａにおける第一断熱層６０１以外の領域では、床下空間７内に配置されている図示しないＯＡ機器の配線、ルータ等の発生する熱を、上階床ボイドスラブ６３が吸熱することができる。これにより、床下空間７を流通するレターン空気の温度上昇が低減されるため、空調機１２の空調負荷を低減することが可能になる。
【００９０】
また、実施の形態６における上階床ボイドスラブ６３は、その下面６３ｂに、蓄熱領域Ｈ６の下部を少なくとも覆うようにして第二断熱層６０２を有している。このため、本実施の形態６のように天井から空調空気を吹き出す構成を有する、天吊り型の空調機又は吹き出しダクトが、天井部材８に設けられている場合であっても、これらへの蓄熱領域Ｈ６の熱の影響を第二断熱層６０２によって抑えることができる。
また、実施の形態６における上階床ボイドスラブ６３は、その下面６３ｂが平坦であったがこれに限定されるものでなく、実施の形態５における上階床ボイドスラブ５３と同様にして、下面６３ｂに溝を有していてもよい。
【００９１】
実施の形態７．
この発明の実施の形態７に係る建物内排熱システム１０７は、実施の形態６の建物内排熱システムにおいて、空調機３１２を居室空間Ａ１の天井部材８に設けるようにしたものである。
図１４を参照すると、居室空間Ａ１の天井部材８には空調機３１２が設けられ、空間Ｂ１には外調機１３が設けられている。
空調機３１２及び外調機１３は、実施の形態３と同様な構成を有している。なお、本実施の形態７の外調機１３には、実施の形態３の内気排気ダクト１４の代わりに、実施の形態５と同様にして、建物ＢＬの外部に連通する内気排気ダクト１３ｄが接続されている。
【００９２】
よって、空調機３１２は、居室空間Ａ１の室内空気を吸入及び冷却して居室空間Ａ１に戻す。このとき、外調機１３は、床下空間７を介して吸入した居室空間Ａ１のレターン空気と、外気吸入ダクト１３ｃから吸入した外気とを熱交換し、それによって温度を低下させた外気を外調空気として、外調空気送気ダクト３１３ａを介して居室空間Ａ１に吹き出す。さらに、外調機１３は、熱交換後のレターン空気を、内気排気ダクト１３ｄを介して建物ＢＬの外部に排出する。
また、この発明の実施の形態７に係る建物内排熱システム１０７のその他の構成及び動作は、実施の形態６と同様であるため、説明を省略する。
【００９３】
このように、実施の形態７における建物内排熱システム１０７によれば、上記実施の形態６の建物内排熱システムと同様な効果が得られる。
また、実施の形態７では、居室空間Ａ１に吹き出される外調空気送気ダクト３１３ａの外調空気は、第二断熱層６０２によって、上階床ボイドスラブ６３の蓄熱領域Ｈ６の熱の影響を受けないため、空調機３１２の冷房負荷を低減することができる。
【００９４】
実施の形態８．
この発明の実施の形態８に係る建物内排熱システムは、実施の形態６の建物内排熱システムにおいてヒートパイプ５１７、天井部材８及び天井空間９を設けずに、照明装置８１６を上階床ボイドスラブ６３に直接設けたものである。
図１５を参照すると、上階床ボイドスラブ６３の下面６３ｂには、照明装置８１６が直接取り付けられている。
【００９５】
さらに、図１６を参照すると、上階床ボイドスラブ６３に密着して取り付けることのできる、本実施の形態８に好適な照明装置８１６の構成が示されている。図１６では、照明装置８１６として、ＬＥＤライトを使用している。
照明装置８１６は、上階床ボイドスラブ６３の下部に一部を埋め込むようにして取り付けられる取付部８１６ｃと、取付部８１６ｃの両側に設けられたカバー８１６ｄと、取付部８１６ｃの両側に配置されてカバー８１６ｄの下部に取り付けられている電源部８１６ｂと、電源部８１６ｂの外側に配置されてカバー８１６ｄの下部に取り付けられている発光部８１６ａとを有している。
発光部８１６ａは、下方を照射するように設けられたＬＥＤ発光素子部８１６ａ１と、カバー８１６ｄに取り付けられて下部にＬＥＤ発光素子部８１６ａ１が設けられている基盤部８１６ａ２とを有している。そして、カバー８１６ｄは、ＬＥＤ発光素子部８１６ａ１の光が下方を照射するように、発光部８１６ａの外側で下方に突出している。
【００９６】
また、カバー８１６ｄは、上階床ボイドスラブ６３に直接接触しており、少なくとも発光部８１６ａ及び電源部８１６ｂが取り付けられた部位において、上階床ボイドスラブ６３に密着している。そして、電源部８１６ｂ及び発光部８１６ａの基盤部８１６ａ２は、カバー８１６ｄを間に挟んで上階床ボイドスラブ６３と接触している。なお、カバー８１６ｄは、空気より高い熱伝導性を有する金属等によって製作されている。
これにより、照明装置８１６の点灯中に高温になる発光部８１６ａの基盤部８１６ａ２及び電源部８１６ｂにおいて、基盤部８１６ａ２の熱は、カバー８１６ｄを介して上階床ボイドスラブ６３に高い効率で伝達され、電源部８１６ｂの熱は、カバー８１６ｄ及び取付部８１６ｃを介して、上階床ボイドスラブ６３に高い効率で伝達される。
【００９７】
よって、図１５に戻り、照明装置８１６の発生する熱は、上階床ボイドスラブ６３に直接伝達されて蓄熱領域Ｈ８に蓄熱される。そして、上階床ボイドスラブ６３は、ボイド穴６３２ａ内の空気と熱交換を行うことによって、蓄熱領域Ｈ８の蓄熱をボイド穴６３２ａ内の空気に放出する。
【００９８】
さらに、上階床ボイドスラブ６３の上面６３ａには、蓄熱領域Ｈ８の上部を少なくとも覆うようにして第一断熱層８０１が形成されており、下面６３ｂには、照明装置８１６の周囲に第二断熱層８０２が形成されている。なお、第二断熱層８０２は、蓄熱領域Ｈ８の下部を少なくとも覆うようにして形成されている。
なお、図示しない床ボイドスラブも、上階床ボイドスラブ６３と同様の構成を有している。
【００９９】
また、空調機１２（図１０参照）から送られた空調空気は、上階床ボイドスラブ６３の下面６３ｂに設けられた図示しないダクトから下方に向かって吹き出され、吹き出された空調空気は、レターン空気として床部材６の床吸入口６６ａから床下空間７内に吸入され、さらに、空調機１２及び外調機１３（図１０参照）に吸入される。
また、居室空間Ａ３の床下空間７を流通するレターン空気は、第一断熱層８０１によって、蓄熱領域Ｈ８の熱による影響を受けない。同様に、居室空間Ａ１の床下空間７を通るレターン空気も、図示しない床ボイドスラブの蓄熱領域Ｈ８の熱による影響を受けない。
【０１００】
一方、居室空間Ａ１の室内空気は、上階床ボイドスラブ６３の下面６３ｂと接触している。そして、居室空間Ａ１の室内空気は、第二断熱層８０２の遮熱作用によって、上階床ボイドスラブ６３の蓄熱領域Ｈ８と熱交換を行わずに、蓄熱領域Ｈ８以外の部位と熱交換を行うことが可能である。さらに、上階床ボイドスラブ６３における蓄熱領域Ｈ８以外の領域では、ボイド穴６３２に外気を流通させることによって、下面６３ｂの表面温度を居室空間Ａ１の室温より低くすることができる。これによって、居室空間Ａ１では、上階床ボイドスラブ６３の下面６３ｂとの温度差による熱伝導により室内空気が冷却され、さらに、遠赤外域の電磁波による輻射効果によって、居室空間Ａ１内の人の発熱が奪われて、上階床ボイドスラブ６３による冷房効果が発揮される。すなわち、上階床ボイドスラブ６３は、輻射冷房効果を有している。
また、この発明の実施の形態８に係る建物内排熱システムのその他の構成及び動作は、実施の形態６と同様であるため、説明を省略する。
【０１０１】
このように、実施の形態８における建物内排熱システムによれば、上記実施の形態６の建物内排熱システムと同様な効果が得られる。
また、照明装置８１６を上階床ボイドスラブ６３に直接取り付けることによって、ヒートパイプ５１７が必要でなくなり、照明装置８１６の設置に要する手間も低減する。よって、コストを低減することが可能になる。
【０１０２】
また、図１７を参照すると、天井に取り付けられる従来の一般的な照明装置８２６の構成が示されている。図１７では、照明装置８２６として、蛍光灯を使用している。
照明装置８２６は、取付部８２６ｃ、支持板８２６ｅ、電源部８２６ｂ、蛍光灯８２６ａ１、及びカバー８２６ｄとを有している。
【０１０３】
取付部８２６ｃは、上階床ボイドスラブ６３の下部に一部を埋め込むようにして取り付けられている。
支持板８２６ｅは、取付部８２６ｃの両側に設けられて、上階床ボイドスラブ６３との間に間隙８２６ｇを形成している。
電源部８２６ｂは、取付部８２６ｃの両側に配置されて支持板８２６ｅの下部に取り付けられている。
蛍光灯８２６ａ１は、電源部８２６ｂの外側に配置されて支持板８２６ｅの下部に取り付けられている。
カバー８２６ｄは、支持板８２６ｅの下部に取り付けられて蛍光灯８２６ａ１、電源部８２６ｂ及び取付部８２６ｃを下方から覆っている。
また、支持板８２６ｅには、蛍光灯８２６ａ１と電源部８２６ｂとの間となる位置に、開口部８２６ｆが形成されている。
【０１０４】
これにより、照明装置８２６の点灯中、電源部８２６ｂが発生する熱は、支持板８２６ｅを介して間隙８２６ｇに放熱され、間隙８２６ｇを通って照明装置８２６の外部に排出される、又は、カバー８２６ｄの内側に放熱されて開口部８２６ｆから間隙８２６ｇに排出され、間隙８２６ｇを通って照明装置８２６の外部に排出される。また、蛍光灯８２６ａ１が発生する熱は、カバー８２６ｄの内側に放熱されて開口部８２６ｆから間隙８２６ｇに排出され、間隙８２６ｇを通って照明装置８２６の外部に排出される。
このとき、間隙８２６ｇでは、間隙８２６ｇを通る温度上昇している空気の熱が、上階床ボイドスラブ６３と熱交換することによって上階床ボイドスラブ６３に伝達し、カバー８２６ｄの内部では、電源部８２６ｂの熱の一部が取付部８２６ｃを介して上階床ボイドスラブ６３に伝達する。よって、照明装置８２６は、照明装置８１６に比べて効率が低くなるが、点灯中に発生した熱を上階床ボイドスラブ６３に伝達させることができる。
従って、一般的な照明装置８２６を使用した場合であっても、照明装置８２６が発生する熱を、上階床ボイドスラブ６３を介して建物ＢＬの外部に排出することができる。
【０１０５】
実施の形態９．
この発明の実施の形態９に係る建物内排熱システムは、実施の形態６の建物内排熱システムにおいて、上階床ボイドスラブ６３の構成と、上階床ボイドスラブ６３及びヒートパイプ５１７の接続構造を変更したものである。
【０１０６】
図１８を参照すると、上階床スラブ９３は、実施の形態６の上階床ボイドスラブ６３のボイド穴６３２の代わりに、下面９３ｂに第一溝部９３ｃ１及び第二溝部９３ｃ２を複数有している。第一溝部９３ｃ１及び第二溝部９３ｃ２は、略台形形状の断面を有し、大梁４ａと同じ方向に沿って形成されている。
【０１０７】
また、天井部材８には、照明装置１６が取り付けられ、照明装置１６の上部にはヒートパイプ５１７が取り付けられている。さらに、ヒートパイプ５１７の先端となる放熱部５１７ｄには、比熱が大きく熱伝導性の高い蓄熱部材９０３が取り付けられている。そして、ヒートパイプ５１７が取り付けられた蓄熱部材９０３は、第一溝部９３ｃ１の下部を覆うようにして、上階床スラブ９３の下面９３ｂに取り付けられている。
蓄熱部材９０３は、例えば、紙面上で横方向に１．０ｍ、奥行き方向に１．０ｍの略直方体状の形状で形成されている。さらに、蓄熱部材９０３には、例えば、コンクリートと同様の比熱とコンクリートの約１０倍以上の熱伝導率を有するカーボンれんがを使用することができる。
【０１０８】
また、第一溝部９３ｃ１において、蓄熱部材９０３によって下部が覆われていない部位は、板状の蓋部材９３ｅによって覆われている。よって、第一溝部９３ｃ１、蓄熱部材９０３及び蓋部材９３ｅは、上階床スラブ９３の下面９３ｂに沿った通気通路９３ｆを形成している。
さらに、通気通路９３ｆは、実施の形態５のボイド穴５３２と同様にして、図示しないシャッタ機構を介して建物ＢＬの外部に連通している。
【０１０９】
これにより、照明装置１６の発生する熱は、ヒートパイプ５１７によって蓄熱部材９０３に伝達されて蓄熱され、このとき、蓄熱部材９０３へは高い効率で熱が伝達される。さらに、蓄熱部材９０３の蓄熱が上階床スラブ９３に伝達して蓄熱され、上階床スラブ９３の温度が温度上昇領域Ｈ９において上昇する。
そして、蓄熱部材９０３及び温度上昇領域Ｈ９の上階床スラブ９３は、通気通路９３ｆ内の空気と熱交換を行うことによって、その蓄熱を通気通路９３ｆ内の空気に放出する。
また、上階床スラブ９３の下面９３ｂには、第二断熱層９０２が形成されている。第二断熱層９０２は、蓄熱部材９０３全体を覆い、さらに、上階床スラブ９３の下面９３ｂでは、蓄熱部材９０３の周囲において、温度上昇領域Ｈ９の下部を少なくとも覆うようにして設けられている。また、上階床スラブ９３の上面９３ａには、温度上昇領域Ｈ９の上部を少なくとも覆うようにして、第一断熱層９０１が形成されている。
なお、図示しない床スラブも、上階床スラブ９３と同様の構成を有している。
【０１１０】
上述より、蓄熱部材９０３及び上階床スラブ９３の蓄熱は、通気通路９３ｆに外気を流通させて外気と蓄熱部材９０３及び上階床スラブ９３とを熱交換させることにより、外気と共に建物ＢＬの外部に排出することができる。
また、居室空間Ａ３の床下空間７を通るレターン空気は、第一断熱層９０１の遮熱作用によって、温度上昇領域Ｈ９の熱による影響を受けない。同様に、居室空間Ａ１の床下空間７を通るレターン空気も、図示しない床スラブの温度上昇領域Ｈ９の熱による影響を受けない。
さらに、天井空間９を通る空調空気送気ダクト６１２ａの空調空気は、第二断熱層９０２の遮熱作用によって、蓄熱部材９０３の熱及び上階床スラブ９３の温度上昇領域Ｈ９の熱による影響を受けない。
【０１１１】
また、この発明の実施の形態９に係る建物内排熱システムのその他の構成及び動作は、実施の形態６と同様であるため、説明を省略する。
このように、実施の形態９における建物内排熱システムによれば、上記実施の形態６の建物内排熱システムと同様な効果が得られる。
また、建物の床スラブは、一般的に、波形の断面形状を有するデッキプレートを底型枠に使用して、コンクリートを打設することによって製作される。このため、上階床スラブ９３の第一溝部９３ｃ１及び第二溝部９３ｃ２には、デッキプレートによって形成された溝を利用することができる。よって、上階床スラブ９３は、その製作を容易にすることができる上、実施の形態５の上階床ボイドスラブ５３に比べて重量を軽減することができるため、コストの低減が可能になる。
【０１１２】
実施の形態１０．
この発明の実施の形態１０に係る建物内排熱システムは、実施の形態８の建物内排熱システムにおいて上階床ボイドスラブ６３の外部に外気が流通するようにしたものである。
なお、本実施の形態１０では、ビルではなくマンション及び住宅等の住居に建物内排熱システムを適用した場合の例を説明する。
【０１１３】
図１９を参照すると、上階床スラブ１１３は、ボイド穴を有した中空構造ではなく中実構造になっており、平坦な上面１１３ａ及び下面１１３ｂを有している。さらに、上階床スラブ１１３の下面１１３ｂには、照明装置８１６が直接取り付けられている。また、上階床スラブ１１３の上面１１３ａには、その全体にわたって断熱層１１０１が形成されている。そして、上階床スラブ１１３の上面１１３ａが、居室空間Ａ１の上方の居室空間Ａ３における床面を形成している。
【０１１４】
照明装置８１６が点灯されている場合、照明装置８１６の発生する熱は、上階床スラブ１１３に直接伝達して吸熱・蓄熱される。よって、照明装置８１６が点灯されている間において、照明装置８１６の発生する熱が上階床スラブ１１３によって吸熱されることにより、居室空間Ａ１の室内空気の温度上昇が抑えられる。これにより、空調機の冷房負荷が低減される。
また、上階床スラブ１１３の蓄熱は、断熱層１１０１の遮熱作用によって、上方の居室空間Ａ３の室内空気に影響を与えない。
【０１１５】
さらに、上階床スラブ１１３はその蓄熱を居室空間Ａ１に自然放熱する。そして、人が居室空間Ａ１に居ない時間は、居室空間Ａ１の空調機を使用せず、図示しない窓を開放することによる自然換気や換気扇等を使用した強制換気を行い、居室空間Ａ１の室内空気を建物の外部に排出することにより、自然放熱された熱が建物の外部に排出される。これにより、上階床スラブ１１３の温度及び居室空間Ａ１の室温を低下させることができる。
上述より、照明装置８１６の発生する熱は、人が居室空間Ａ１内に居る間、上階床スラブ１１３によって吸熱されて蓄熱され、人が居室空間Ａ１内に居ない間、上階床スラブ１１３から自然放熱される蓄熱が居室空間Ａ１の室内空気と共に外部に排出されることが可能である。そして、居室空間Ａ１が空気経路を構成している。
なお、実施の形態１０では、上階床スラブ１１３を中実構造としていたが、これに限定されるものでなく、ボイドスラブであってもよい。
【０１１６】
また、実施の形態１〜１０において、照明装置１６、４１６、８１６及び８２６の発生する熱を建物ＢＬの外部に排出していたが、これに限定されるものでない。ＯＡ機器、天井空調装置、換気扇のモータ等にヒートパイプ１７，５１７を連結し、ヒートパイプ１７，５１７を内気排気ダクト１４，２１４、上階床のスラブ、又は床のスラブに連結するようにしてもよい。
また、実施の形態１、３、５、６、７及び９において、照明装置１６の発生する熱を伝達する手段としてヒートパイプ１７，５１７を使用していたが、これに限定されるものでなく、金属製部材であってもよい。
【０１１７】
また、実施の形態５〜１０において、照明装置１６、８１６及び８２６の発生する熱を吸熱・蓄熱するスラブの材料としてコンクリートを使用していたが、これに限定されるものではなく、相転移蓄熱体等の材料を使用してもよい。
また、実施の形態５〜１０において、照明装置１６、８１６及び８２６の発生する熱を、上階床のスラブに吸熱・蓄熱させていたが、これに限定されるものでなく、床のスラブ又は壁に吸熱・蓄熱させてもよい。
【０１１８】
また、実施の形態５〜８では、上階床ボイドスラブ５３，６３の全てのボイド穴５３２，６３２に対して外気の導入及び遮断を同時に行っていたが、これに限定されるものでない。例えば、上階床ボイドスラブ５３において、蓄熱領域Ｈ５に含まれるボイド穴５３２ａへの外気の導入及び遮断と、蓄熱領域Ｈ５に含まれないボイド穴５３２ｂへの外気の導入及び遮断とを別個に制御し、外気温に応じて、ボイド穴５３２ａ及びボイド穴５３２ｂへの外気の導入を制御してもよい。
また、実施の形態５〜１０において、断熱層５０１、５０２、６０１、６０２、８０１、８０２、９０１、９０２及び１１０１を形成する材料として天然素材系のフエルト等を使用していたが、これに限定されるものでなく、発泡スチロール、硬質ウレタン等の発泡プラスチック系の材料、又は、グラスウール、ロックウール等の無機繊維系の材料であってもよい。又は、断熱層５０１、５０２、６０１、６０２、８０１、８０２、９０１、９０２及び１１０１は、遮熱塗料を塗布することによって形成してもよい。
また、実施の形態１、２、４〜６、８及び９において、空調機１２と外調機１３とは別体としていたが、これに限定されるものでなく、一体型のものであってもよい。
【符号の説明】
【０１１９】
１４，２１４，４１４  内気排気ダクト（空気経路，ダクト）、１６，４１６，８１６，８２６  照明装置（発熱機器）、１７，５１７  ヒートパイプ（熱伝達手段）、５３，６３  上階床ボイドスラブ（蓄熱躯体）、９３，１１３  上階床スラブ（蓄熱躯体）、９３ｆ  通気通路（空気経路）、５３２，６３２  ボイド穴（空気経路）、５０１，６０１，８０１，９０１  第一断熱層、５０２，６０２，８０２，９０２  第二断熱層、１１０１  断熱層、Ａ１  居室空間（空気経路）、ＢＬ  建物、１０１，１０３，１０５，１０７  建物内排熱システム。
【図１】
2011220566.tif 000003
【図２】
2011220566.tif 000004
【図３】
2011220566.tif 000005
【図４】
2011220566.tif 000006
【図５】
2011220566.tif 000007
【図６】
2011220566.tif 000008
【図７】
2011220566.tif 000009
【図８】
2011220566.tif 000010
【図９】
2011220566.tif 000011
【図１０】
2011220566.tif 000012
【図１１】
2011220566.tif 000013
【図１２】
2011220566.tif 000014
【図１３】
2011220566.tif 000015
【図１４】
2011220566.tif 000016
【図１５】
2011220566.tif 000017
【図１６】
2011220566.tif 000018
【図１７】
2011220566.tif 000019
【図１８】
2011220566.tif 000020
【図１９】
2011220566.tif 000021